(57)【要約】【課題】既に設置されている機器に、機器を停止させることなく後付で取り付けることで、遠隔制御を可能とした遠隔操作装置および遠隔操作システムを提供する。【解決手段】被制御機器に設置された操作器のスイッチを手動および外部の遠隔指令信号により操作される遠隔操作装置において、上記スイッチを操作する動作部と、外部の遠隔指令信号により上記動作部に操作の駆動信号を与える制御部と、上記動作部を上記操作器のスイッチに被せて着脱自在に設置する支持部材とを備え、さらに上記動作部は、手動で押圧操作できる押圧部を有することを特徴とする。【選択図】図2
2010096433.tif 000002
【特許請求の範囲】
【請求項１】
被制御機器に設置された操作器のスイッチを手動および外部の遠隔指令信号により操作される遠隔操作装置において、
上記スイッチを操作する動作部と、
外部の遠隔指令信号により上記動作部に操作の駆動信号を与える制御部と、
上記動作部を上記操作器のスイッチに被せて着脱自在に設置する支持部材とを備え、
さらに上記動作部は、手動で押圧操作できる押圧部を有することを特徴とする遠隔操作装置。
【請求項２】
請求項１に記載の遠隔操作装置において、上記制御部は外部の遠隔指令信号を受ける無線装置と、上記無線装置からの遠隔指令信号に基いて上記動作部を駆動するリレーを備えたことを特徴とする遠隔操作装置。
【請求項３】
請求項１または２に記載の遠隔操作装置において、上記支持部材は上記動作部を反スイッチ方向に付勢する弾性を有し、さらに上記付勢による上記動作部の移動を規制するストッパ部材が設けられ、上記動作部は上記押圧部が手動で押圧操作されることによりスイッチ方向に移動してスイッチを操作することを特徴とする遠隔操作装置。
【請求項４】
被制御機器に配置された操作器のスイッチを手動および外部の遠隔指令信号により操作される遠隔操作装置と、上記被制御機器の運転に伴うセンサ信号の受信に基いて上記遠隔操作装置に遠隔指令信号を送信する監視制御装置を備えた遠隔操作システムにおいて、
上記遠隔操作装置は、上記スイッチを操作する動作部および外部の遠隔指令信号により上記動作部に操作の駆動信号を与える制御部と、上記動作部を上記操作器のスイッチに被せて着脱自在に設置する支持部材とを備え、さらに上記動作部は手動で押圧操作できる押圧部を備えたことを特徴とする遠隔操作システム。
【請求項５】
請求項４に記載の遠隔操作システムにおいて、上記制御部は外部からの遠隔指令信号を受ける無線装置と、上記無線装置からの遠隔指令信号に基いて上記動作部を駆動するリレーを備えたことを特徴とする遠隔操作システム。
【請求項６】
請求項４または５に記載の遠隔操作システムにおいて、上記支持部材は上記動作部を反スイッチ方向に付勢する弾性を有し、さらに上記付勢による上記動作部の移動を規制するストッパ部材が設けられ、上記動作部は上記押圧部が手動で押圧操作されることによりスイッチ方向に移動してスイッチを操作することを特徴とする遠隔操作装置システム。
【発明の詳細な説明】
【技術分野】
【０００１】
本発明は、エアーコンデショナー等の被制御機器の手動操作および遠隔操作する遠隔操作装置および遠隔操作システムに関する。
【背景技術】
【０００２】
機器を操作する方法として、機器にスイッチを設置し、スイッチにより機器の稼動・停止、運転方法の選択や操作が行われている。最近では、機器にコンピュータを搭載し、複雑な操作をスイッチ一つで行えるようになっている。また、機器に遠隔制御装置を組み込んで、有線または無線によって機器の操作が遠隔で行えるようになっており、各機器の傍まで行かなくとも、離れた場所にある機器を、遠隔制御装置によって一括して操作することができる。
【０００３】
従来、機器を遠隔制御するためには、予め機器に遠隔制御装置を組み込む必要があり、遠隔制御装置を組み込むためには、予め設計段階から組み込むか、機器のスイッチ部分を加工して改造する必要がある。従って、遠隔制御でない既存の機器を遠隔制御に変えるには、遠隔制御機能を持った機器に全て交換するか、遠隔制御でない既存の機器の回路図などを入手し、改造計画を立て、遠隔制御に改造工事を行う必要がある。この場合、遠隔制御するために、交換や改造の費用が必要な上、常時稼動している機器の場合は、工事の期間の間、機器を停止する必要がある。
【０００４】
また、この種遠隔制御に関するものとして、既存の照明装置に後付でアクチュエータを取付け、プルスイッチの紐を遠隔で操作できるようにした例が、特許文献１に記載されている。
【０００５】
【特許文献１】特開２００５−３０２３０６号公報
【発明の開示】
【発明が解決しようとする課題】
【０００６】
しかし、特許文献１に記載の構成では、アクチュエータを筐体に着脱自在に取り付けるに際し、操作用の引き紐をアクチュエータに取り付けたり、または巻きつけたりすることが必要であり、紐の長さ調整も必要となって作業が容易でない。さらに、遠隔制御に改造する間は、照明装置の制御を停止させる必要がある。
【０００７】
本発明は、上記従来の問題点に鑑み、既に設置されている機器に、機器を停止させることなく後付で取り付けることで、遠隔制御を可能とした遠隔操作装置および遠隔操作システムを提供するものである。
【課題を解決するための手段】
【０００８】
上記目的を達成するための本発明は、被制御機器に設置された操作器のスイッチを手動および外部の遠隔指令信号により操作される遠隔操作装置において、
上記スイッチを操作する動作部と、
外部の遠隔指令信号により上記動作部に操作の駆動信号を与える制御部と、
上記動作部を上記操作器のスイッチに被せて着脱自在に設置する支持部材とを備え、
さらに上記動作部は、手動で押圧操作できる押圧部を有することを特徴とする。
【０００９】
また、上記制御部が外部の遠隔指令信号を受ける無線装置と、上記無線装置からの遠隔指令信号に基いて上記動作部を駆動するリレーを備えたことを特徴とする。
【００１０】
また、上記支持部材が上記動作部を反スイッチ方向に付勢する弾性を有し、さらに上記付勢による動作部の移動を規制するストッパ部材が設けられ、上記動作部は上記押圧部が手動で押圧操作されることによりスイッチ方向に移動してスイッチを操作することを特徴とする。
【００１１】
また、本発明は、被制御機器に配置された操作器のスイッチを手動および外部の遠隔指令信号により操作される遠隔操作装置と、上記被制御機器の運転に伴うセンサ信号の受信に基いて上記遠隔操作装置に遠隔指令信号を送信する監視制御装置を備えた遠隔操作システムにおいて、
上記遠隔操作装置は、上記スイッチを操作する動作部および外部の遠隔指令信号により上記動作部に操作の駆動信号を与える制御部と、上記動作部を上記操作器のスイッチに被せて着脱自在に設置する支持部材とを備え、さらに上記動作部は手動で押圧操作できる押圧部を備えたことを特徴とする。
【発明の効果】
【００１２】
本発明によれば、遠隔制御装置を持たないスイッチ等を備えた操作器を有する機器に対して、後付けで遠隔制御装置を取付けて、機器を遠隔で操作することができ、機器の交換・改造や動作停止を行うことなく、安価で短期間に機器を遠隔操作型に改造することができる。
【発明を実施するための最良の形態】
【００１３】
最近の環境問題から、既存の様々な機器を遠隔制御装置で遠隔操作が出来るようにして、例えばビル内では、照明や空調の電力を離れた場所にある管理センタで監視して、ビル全体の電力が増加し過ぎて契約電力を超えないように、優先度の低い機器から停止させていくなどの管理が望まれている。
【００１４】
実施例では、被制御機器としてのエアコンを設置した部屋の温度およびエアコン電力のデータを示すセンサ信号発信し、別の建物に設置した監視制御装置がセンサ信号を受信して遠隔監視し、その監視結果に基いて遠隔指令信号を発信してエアコンを遠隔操作する例について説明する。
【００１５】
図１に遠隔制御システムの概念図を示す。エアコン１０２が設置された建物１００には、建物内の温湿度を常時検出するセンサ１０１Cで計測し、その結果を無線で常時送信する無線センサ端末１０１ａ（電池内蔵）が設置されている。また、建物１００内に設置されたエアコン１０２の分電盤１０３には、電力計１０４（電力センサ）が設置されており、電力のデータを無線で送信する無線センサ端末１０１ｂが設置されている。無線センサ端末１０１ｂからは、電力のデータが１回／５分の間隔で無線で常時送信されている。
【００１６】
上記建物１００内の温度・湿度のデータおよびエアコンの電力のデータは無線センサ端末１０１ａと１０１ｂから、建物１００とは別の建物１１０内に設置された監視制御装置１１１に無線で送信される。監視制御装置１１１は、受信したデータをモニタ１１２に表示し、この表示内容は建物１１０内のモニタ監視員１１３により監視される。
【００１７】
監視員１１３は、例えば夏場ではエアコン１０２の設定温度２８℃よりも室温が下がっていないか、およびエアコンの消費電力が目標値（契約電力から換算したエアコンへの割り当て目標電力値）を超えていないかを確認する。室内温度が２８℃以下の場合や、エアコンの消費電力が目標値を超えている場合、監視制御装置１１１の入力装置１１４から、エアコン１０２の設定温度を上げるために、設定温度を上げる遠隔指令信号を出す。
【００１８】
上記遠隔指令信号は、監視制御装置１１１から建物１００内のエアコン１０１に取付けられた遠隔操作装置１０５に送信され、遠隔操作装置１０５は、エアコン１０２のリモコン１０６（操作器）の設定温度を上げるスイッチ１０７を押す。エアコン１０１はスイッチ１０７で設定された上昇した温度に従って稼動し、室温が２８℃以上に保たれ、また消費電力が目標値以下に保たれる。ここで、監視員１１３の代わりに、監視制御装置１１１が温湿度データ、電力データを、予め設定した目標値と比較して、自動で指令を出しても良い。また、夏場で遠隔制御装置１０５がリモコン１０６の温度設定を上げるスイッチ１０７を押す代わりに、電源スイッチなどを操作して電源の遮断により室温と消費電力を所定値に保つようにしても良い。
【００１９】
次に図２を用いて、エアコン１０２のリモコン１０６に設置されている遠隔操作装置１０５の構造と動作を説明する。
【００２０】
遠隔操作装置１０５は、制御装置２０９と動作部２０３から構成され、上記制御装置209は、上記監視制御装置１１１からの遠隔指令信号の無線信号を受信する無線装置２０１と、遠隔指令信号の受信に基いて無線装置２０１から発生する電気信号を受けるリレー２０２と、電気信号によるリレー２０２の投入動作に伴って電源２０５から電力が供給されるソレノイド２０３と、このソレノイドの駆動により出没動作する可動鉄芯２０４を備える。電源２０５は商用電源を変換した直流電源であり、無線装置２０１とソレノイド２０３に必要な電圧および電流を供給する。なお、電源２０５はバッテリーでも良い。
【００２１】
ソレノイド２０３は遠隔操作装置１０５の動作部であり、リモコン１０６のスイッチ１０７に被るように、支持部材２０７を介して設置壁２１１に着脱自在に固定される。この支持部材２０７は、先端がソレノイド２０３を支持し、基端が設置壁２１１に着脱自在に固定され、全体として弾性を有する金属製で構成され、先端のソレノイド２０３をスイッチ１０７と反対方向（図２で矢印方向）に常時付勢している。そして、支持部材２０７の上記付勢による矢印方向の移動は、基端が支持部材２０７の基端に固定されたL字型のストッパ部材２１０の先端で規制される。
【００２２】
さらに、ソレノイド２０３には稼動鉄芯２０４と反対側に押圧部２０６が設けられ、支持部材２０７の付勢に抗して押圧部２０６を手で反矢印方向に押圧することにより、ソレノイド２０３自体をリモコン１０６側に移動させ、可動鉄芯２０４でスイッチ１０７を操作できるように構成される。従って、空調の最初の温度設定時などでエアコン１０２の傍で直接リモコン１０６を操作したい場合は、上記押圧部２０６を手で押すことによって、ソレノイド２０３自体を移動させてスイッチ１０７を押すことができる。スイッチ１０７を押した後押圧部２０６から手を離すと、支持部材２０７の付勢力により、ソレノイド２０３が元の位置に戻る。
【００２３】
また、遠隔操作装置１０５を構成する部品は、一つのケース２０８に収められており、ケース２０８は、壁２０９に対してネジまたは両面テープによって着脱自在に設置することができる。なお、ケース２０８の背面に上記押圧部２０６がケース外に突出するように孔（図示せず）が開けられている。
【００２４】
前述のように、遠隔操作装置１０５と監視制御装置１１１の間は無線で通信しているが、通信手段は建物間の通信も容易で、無線中継器を複数台置くことによって、最大10ｋｍの無線通信が可能な、広域無線センサネットワーク「ＺｉｇＮＥＴ」（登録商標、日立プラントテクノロジー）で構成すると良い。このセンサネットワークは、システムの増設・変更が容易であるため、例えばオフィスビルや工場における、規模拡大・組織変更に対して容易に対応でき、広く点在しているデータを収集することが容易である。なお、通信手段は、携帯電話などの電話回線、有線であっても良い。
【００２５】
また、実施例では、操作する被制御機器としてのエアコン１０２は一台であるが、複数台の場合、各エアコンや温度センサの位置に関連して、例えば温度設定を上げる複数のエアコン１０２に優先順位を決めて、個別に操作するのが適切である。同様に、建屋が複数棟ある場合、建屋に優先順序を決めて、優先度の高い棟（温度を高くしても良く、電力を絞っても良い棟）から温度制御および電力制御を行うことになる。
【００２６】
本実施例によれば、室内の温度とエアコンを、遠隔で監視と制御ができるため、エアコンの設置された場所に行かなくても、室内の温度確認とエアコン操作を簡単に行え、室内温度とエアコン電力のコントロールができて、室内環境の向上と省エネ化が同時に行える。また、その日の最初にエアコンの傍で手動で直接操作したい場合は、遠隔操作装置１０５の押圧部２０６を手で押すことによって、ソレノイド２０３自体を移動させてスイッチ１０７を押してエアコンをスタートさせることができる。
【００２７】
さらに、遠隔操作系統の構成を持たない既存のエアコン等の被制御機器を、改造を行うことなく、安価に短期間で機器の遠隔操作系の構造およびシステムを構築することができる。また、被制御機器としてのエアコンがサーバ室等に設置されていて、連続稼動が必須の場合でも、エアコンの稼動状態のままで遠隔操作装置を後付で取付けることができる。
【図面の簡単な説明】
【００２８】
【図１】本発明実施例の遠隔操作システムの概念図である。
【図２】同じく遠隔操作装置の構造図である。
【符号の説明】
【００２９】
100…建物、101（101a、101b）…無線センサ端末、101c…温湿度センサ、102…被制御機器（エアコン）、103…分電盤、104…電力計、105…遠隔操作装置、106…操作器（リモコン）、107…スイッチ、110…建物、111…監視制御装置、112…モニタ、113…監視員、201…無線装置、202…リレー、203…動作部（ソレノイド）、204…動作部（可動鉄心）、205…電源、206…押圧部、207…支持部材、208…ケース、209…制御部、210…ストッパ部材、211…設置壁。
【図１】
2010096433.tif 000003
【図２】
2010096433.tif 000004